【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
複数のＧ−Ａ−Ｚ炭水化物を含む、基材上に固定された炭水化物部分のアレイであって、各Ｇ−Ａ−Ｚ部分は、前記基材上の別々の場所に堆積されており、式中、Ｇは、１つまたは複数の腫瘍関連炭水化物抗原（ＴＡＣＡ）であり、
Ａは、アルキル、エステル、またはアミドを含む部分であり、
Ｚは、１つまたは複数の脂質鎖、脂質鎖を伴う１つまたは複数のスペーサー基である、アレイ。
【請求項２】
前記ＴＡＣＡが、Ｇｌｏｂｏ  Ｈ、ステージ特異的胎児抗原３（ＳＳＥＡ−３）、ステージ特異的胎児抗原４（ＳＳＥＡ−４）、Ｔｎ、ＴＦ、ｓＴｎ、ポリシアル酸、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１、Ｎｅｕ５ＧｃＧＭ３および／またはこれらのｎ−ペンチルアミン官能化バリアントを含む、請求項１に記載のアレイ。
【請求項３】
前記基材が、表面、固体表面、不透明固体、可視光もしくは非可視光の選択された波長に対して透明である固体、粒子、マイクロバブル、またはビーズから選択される、請求項１に記載のアレイ。
【請求項４】
前記基材が、ニトロセルロースである、請求項１に記載のアレイ。
【請求項５】
前記複数のＧＡＺ炭水化物部分が、前記基材上にコーティングされている、請求項１に記載のアレイ。
【請求項６】
前記複数のＧＡＺ炭水化物における前記Ｚ部分が、ファンデルワールス相互作用または疎水性相互作用によって前記基材に接着している、請求項５に記載のアレイ。
【請求項７】
前記炭水化物部分が、多糖、オリゴ糖、糖コンジュゲートの炭水化物部、Ｇｌｏｂｏ  Ｈ、ＳＳＥＡ−３、ＳＳＥＡ−４、Ｔｎ、ＴＦ、ｓＴｎ、ポリシアル酸、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１、Ｎｅｕ５ＧｃＧＭ３および／またはこれらのｎ−ペンチルアミン官能化バリアントのうちの１つまたは複数を含む、請求項１に記載のアレイ。
【請求項８】
複合体の検出、疾患の診断、処置の監視または再発の監視において使用するための、基材上に固定された炭水化物のアレイであって、以下：
（ａ）基材を用意する工程と、
（ｂ）前記基材をニトロセルロースでコーティングする工程と、
（ｃ）前記基材の表面上の別々の場所に複数のＧ−Ａ−Ｚ部分を固定する工程と
を含む方法によって製作される、アレイ。
【請求項９】
請求項８に記載のアレイを特性評価する方法であって、固定された前記Ｇ−Ａ−Ｚ部分をＴＡＣＡに対する標識抗体と接触させる工程と、前記抗体とグリカンとの間で複合体を形成させる工程と、前記抗体と前記グリカンとの間で形成された前記複合体を検出する工程とを含む方法。
【請求項１０】
前記標識抗体が、酵素を含む標識、蛍光標識、化学発光標識、ナノ粒子標識を含む、請求項９に記載の方法。
【請求項１１】
前記酵素が、アルカリホスファターゼ（ＡＰ）または西洋ワサビペルオキシダーゼ（ＨＲＰ）である、請求項１０に記載の方法。
【請求項１２】
抗体が、固定された多糖、オリゴ糖、糖コンジュゲートの炭水化物部、Ｇｌｏｂｏ  Ｈ、ＳＳＥＡ−３、ＳＳＥＡ−４、Ｔｎ、ＴＦ、ｓＴｎ、ポリシアル酸、Ｇｌｏｂｏ  Ｈ、ＳＳＥＡ−３、ＳＳＥＡ−４、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１または抗原のＮｅｕ５ＧｃＧＭ３シリーズを特異的に認識する、請求項９に記載のアレイ。
【請求項１３】
式
【化２３】
2018532990.tif 000001
を有する化合物であって、
式中、
Ｇは、グリカンであり、
Ａは、エステルまたはアミドを含む部分であり、
Ｘは、基材、固体表面、コーティング表面、ポリマー表面、ニトロセルロースコーティング表面、もしくはビーズ表面、前記表面に付着したスペーサー基、または表面にリンカーを接着させるための基を伴うスペーサー基であり、
Ｚは、１つまたは複数の脂質鎖、脂質鎖を伴う１つまたは複数のスペーサー基である、化合物。
【請求項１４】
式
【化２４】
2018532990.tif 000002
を有する化合物。
【請求項１５】
式
【化２５】
2018532990.tif 000003
を有する化合物。
【請求項１６】
式
【化２６】
2018532990.tif 000004
を有する化合物。
【請求項１７】
式
【化２７】
2018532990.tif 000005
を有する化合物。
【請求項１８】
式
【化２８】
2018532990.tif 000006
を有する化合物。
【請求項１９】
式
【化２９】
2018532990.tif 000007
を有する化合物。
【請求項２０】
式
【化３０】
2018532990.tif 000008
を有する化合物。
【請求項２１】
式
【化３１】
2018532990.tif 000009
を有する化合物。
【請求項２２】
以下の式
【化３２】
2018532990.tif 000010
のうちのいずれか１つに従う化合物であって、
式中、キラル炭素原子Ｃ１は、ラセミであってもキラルであってもよく、
ｎ＝５、６、７、８、または９であり、かつ
ＴＡＣＡは、Ｇｌｏｂｏ  Ｈ、ステージ特異的胎児抗原３（ＳＳＥＡ−３）、ステージ特異的胎児抗原４（ＳＳＥＡ−４）、Ｔｎ、ＴＦ、ｓＴｎ、ポリシアル酸、Ｇｌｏｂｏ  Ｈ、ＳＳＥＡ−３、ＳＳＥＡ−４、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１、Ｎｅｕ５ＧｃＧＭ３および／またはこれらのｎ−ペンチルアミン官能化バリアントから選択される、化合物。
【請求項２３】
請求項１３から２２に記載の化合物の使用を含む、アレイにおける感度を向上する方法。
【請求項２４】
相対抗体結合レベルを、がん、癌腫、新生物または過形成を有する疑いがある、疾患の診断、処置の監視または再発の監視を必要とする対象の、疾患の診断、処置の監視または再発の監視のための指標とする方法であって、
（ａ）がんを有する疑いがある対象からの抗体を含有する試料を接触させて、前記試料中の抗体をＧ−Ａ−Ｚ部分の１つまたは複数に結合させる工程、および
（ｂ）１つまたは複数の結合した抗体の量を検出する工程
を含み、疾患を有しない対象のレベルと比較した場合の相対抗体結合レベルが、病態を示す、方法。
【請求項２５】
複合体を検出するための方法であって、
（ａ）がん、癌腫、新生物または過形成を有する疑いがある対象からの抗体を含有する試料を接触させて、前記試料中の抗体を、１つまたは複数のＧ−Ａ−Ｚ部分に結合させる工程、
（ｂ）１つまたは複数の結合した抗体の量を検出する工程、および
（ｃ）疾患を有しない対象のレベルと比較した場合の相対抗体結合レベルを確認する工程を含む方法。
【請求項２６】
前記試料が、血清、血液、血漿、細胞、細胞培地、唾液、尿、またはリンパ節液からなる、請求項２４または２５に記載の方法。
【請求項２７】
前記対象がヒトである、請求項２４または２５に記載の方法。
【請求項２８】
前記がんが、肉腫、皮膚がん、白血病、リンパ腫、脳がん、神経膠芽腫、肺がん、乳がん、口腔がん、頭頸部がん、上咽頭がん、食道がん、胃がん、肝臓がん、胆管がん、胆嚢がん、膀胱がん、膵臓がん、腸がん、大腸がん、腎臓がん、子宮頸がん、子宮内膜がん、卵巣がん、精巣がん、頬側がん、中咽頭がん、喉頭がんおよび前立腺がんからなる群から選択される、請求項２４または２５に記載の方法。
【請求項２９】
グリカン検出のアッセイ値を、がん処置を必要とする対象のがん処置用の抗新生物剤の治療効果を判定するための指標とする方法であって、
（ａ）１つまたは複数の腫瘍関連抗原（ＴＡＣＡ）を含むアレイを、対象からの試料と接触させる工程、および
（ｂ）１つもしくは複数の腫瘍関連抗原（ＴＡＣＡ）の結合、または請求項１３から２２のいずれか一項に記載の化合物に結合した抗体を検出する工程
を含み、前記グリカン検出のアッセイ値が、新生物に対する処置における抗新生物剤の治療効果を示す、方法。
【請求項３０】
前記試料が、血清、血液、血漿、細胞、細胞培地、唾液、尿、リンパ節液、腫瘍生検または組織培養物からなる、請求項２９に記載の方法。
【請求項３１】
前記対象がヒトである、請求項２９に記載の方法。
【請求項３２】
前記抗新生物剤が、担体タンパク質とコンジュゲートした炭水化物抗原またはその免疫原性断片で構成されるワクチンを含む、請求項２９に記載の方法。
【請求項３３】
前記炭水化物抗原またはその免疫原性断片が、Ｇｌｏｂｏ  Ｈ、ステージ特異的胎児抗原３（ＳＳＥＡ−３）、ステージ特異的胎児抗原４（ＳＳＥＡ−４）、Ｔｎ、ＴＦ、ｓＴｎ、ポリシアル酸、Ｇｌｏｂｏ  Ｈ、ＳＳＥＡ−３、ＳＳＥＡ−４、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１またはＮｅｕ５ＧｃＧＭ３を含む、請求項３２に記載の方法。
【請求項３４】
前記担体タンパク質が、ＫＬＨ（キーホールリンペットヘモシアニン）、ＤＴ−ＣＲＭ  １９７（ジフテリア毒素交差反応物質１９７）、ジフテリアトキソイドまたは破傷風トキソイドを含む、請求項３２に記載の方法。
【請求項３５】
前記ワクチンが、医薬組成物として提供される、請求項３２に記載の方法。
【請求項３６】
前記医薬組成物が、Ｇｌｏｂｏ  Ｈ−ＫＬＨおよび追加的なアジュバントを含む、請求項３５に記載の方法。
【請求項３７】
前記追加的なアジュバントが、サポニン、フロイントアジュバントまたはα−ガラクトシルセラミド（α−ＧａｌＣｅｒ）アジュバントから選択される、請求項３６に記載の方法。
【請求項３８】
前記医薬組成物が、ＯＢＩ−８２２／ＯＢＩ−８２１を含む、請求項３５に記載の方法。
【請求項３９】
前記抗新生物剤が、１つまたは複数の炭水化物抗原に結合可能である抗体またはその抗原結合部を含む、請求項２９に記載の方法。
【請求項４０】
前記がんが、肉腫、皮膚がん、白血病、リンパ腫、脳がん、神経膠芽腫、肺がん、乳がん、口腔がん、頭頸部がん、上咽頭がん、食道がん、胃がん、肝臓がん、胆管がん、胆嚢がん、膀胱がん、膵臓がん、腸がん、大腸がん、腎臓がん、子宮頸がん、子宮内膜がん、卵巣がん、精巣がん、頬側がん、中咽頭がん、喉頭がんおよび前立腺がんからなる群から選択される、請求項２９に記載の方法。
【手続補正２】
【補正対象書類名】明細書
【補正対象項目名】０２４８
【補正方法】変更
【補正の内容】
【０２４８】
本明細書において引用されたすべての参考文献は、法によって許容される限り、参照により本明細書に組み込まれる。それらの参考文献の考察は、単に、それらの著者によって為された主張を要約することを意図する。いかなる参考文献も（またはいかなる参考文献の一部分も）関連する従来技術であると承認されたわけではない。本出願人は、任意の引用された参考文献の正確性および妥当性を検証する権利を留保する。
特定の実施形態では、例えば以下の項目が提供される。
（項目１）
複数のＧ−Ａ−Ｚ炭水化物を含む、基材上に固定された炭水化物部分のアレイであって、各Ｇ−Ａ−Ｚ部分は、前記基材上の別々の場所に堆積されており、式中、Ｇは、１つまたは複数の腫瘍関連炭水化物抗原（ＴＡＣＡ）であり、
Ａは、アルキル、エステル、またはアミドを含む部分であり、
Ｚは、１つまたは複数の脂質鎖、脂質鎖を伴う１つまたは複数のスペーサー基である、アレイ。
（項目２）
前記ＴＡＣＡが、Ｇｌｏｂｏ  Ｈ、ステージ特異的胎児抗原３（ＳＳＥＡ−３）、ステージ特異的胎児抗原４（ＳＳＥＡ−４）、Ｔｎ、ＴＦ、ｓＴｎ、ポリシアル酸、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１、Ｎｅｕ５ＧｃＧＭ３および／またはこれらのｎ−ペンチルアミン官能化バリアントを含む、項目１に記載のアレイ。
（項目３）
前記基材が、表面、固体表面、不透明固体、可視光もしくは非可視光の選択された波長に対して透明である固体、粒子、マイクロバブル、またはビーズから選択される、項目１に記載のアレイ。
（項目４）
前記基材が、ニトロセルロースである、項目１に記載のアレイ。
（項目５）
前記複数のＧＡＺ炭水化物部分が、前記基材上にコーティングされている、項目１に記載のアレイ。
（項目６）
前記複数のＧＡＺ炭水化物における前記Ｚ部分が、ファンデルワールス相互作用または疎水性相互作用によって前記基材に接着している、項目５に記載のアレイ。
（項目７）
前記炭水化物部分が、多糖、オリゴ糖、糖コンジュゲートの炭水化物部、Ｇｌｏｂｏ  Ｈ、ＳＳＥＡ−３、ＳＳＥＡ−４、Ｔｎ、ＴＦ、ｓＴｎ、ポリシアル酸、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１、Ｎｅｕ５ＧｃＧＭ３および／またはこれらのｎ−ペンチルアミン官能化バリアントのうちの１つまたは複数を含む、項目１に記載のアレイ。
（項目８）
複合体の検出、疾患の診断、処置の監視または再発の監視において使用するための、基材上に固定された炭水化物のアレイであって、以下：
（ａ）基材を用意する工程と、
（ｂ）前記基材をニトロセルロースでコーティングする工程と、
（ｃ）前記基材の表面上の別々の場所に複数のＧ−Ａ−Ｚ部分を固定する工程と
を含む方法によって製作される、アレイ。
（項目９）
項目８に記載のアレイを特性評価する方法であって、固定された前記Ｇ−Ａ−Ｚ部分をＴＡＣＡに対する標識抗体と接触させる工程と、前記抗体とグリカンとの間で複合体を形成させる工程と、前記抗体と前記グリカンとの間で形成された前記複合体を検出する工程とを含む方法。
（項目１０）
前記標識抗体が、酵素を含む標識、蛍光標識、化学発光標識、ナノ粒子標識を含む、項目９に記載の方法。
（項目１１）
前記酵素が、アルカリホスファターゼ（ＡＰ）または西洋ワサビペルオキシダーゼ（ＨＲＰ）である、項目１０に記載の方法。
（項目１２）
抗体が、固定された多糖、オリゴ糖、糖コンジュゲートの炭水化物部、Ｇｌｏｂｏ  Ｈ、ＳＳＥＡ−３、ＳＳＥＡ−４、Ｔｎ、ＴＦ、ｓＴｎ、ポリシアル酸、Ｇｌｏｂｏ  Ｈ、ＳＳＥＡ−３、ＳＳＥＡ−４、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１または抗原のＮｅｕ５ＧｃＧＭ３シリーズを特異的に認識する、項目９に記載のアレイ。
（項目１３）
式
【化２３】
2018532990.tif 000011
を有する化合物であって、
式中、
Ｇは、グリカンであり、
Ａは、エステルまたはアミドを含む部分であり、
Ｘは、基材、固体表面、コーティング表面、ポリマー表面、ニトロセルロースコーティング表面、もしくはビーズ表面、前記表面に付着したスペーサー基、または表面にリンカーを接着させるための基を伴うスペーサー基であり、
Ｚは、１つまたは複数の脂質鎖、脂質鎖を伴う１つまたは複数のスペーサー基である、化合物。
（項目１４）
式
【化２４】
2018532990.tif 000012
を有する化合物。
（項目１５）
式
【化２５】
2018532990.tif 000013
を有する化合物。
（項目１６）
式
【化２６】
2018532990.tif 000014
を有する化合物。
（項目１７）
式
【化２７】
2018532990.tif 000015
を有する化合物。
（項目１８）
式
【化２８】
2018532990.tif 000016
を有する化合物。
（項目１９）
式
【化２９】
2018532990.tif 000017
を有する化合物。
（項目２０）
式
【化３０】
2018532990.tif 000018
を有する化合物。
（項目２１）
式
【化３１】
2018532990.tif 000019
を有する化合物。
（項目２２）
以下の式
【化３２】
2018532990.tif 000020
のうちのいずれか１つに従う化合物であって、
式中、キラル炭素原子Ｃ１は、ラセミであってもキラルであってもよく、
ｎ＝５、６、７、８、または９であり、かつ
ＴＡＣＡは、Ｇｌｏｂｏ  Ｈ、ステージ特異的胎児抗原３（ＳＳＥＡ−３）、ステージ特異的胎児抗原４（ＳＳＥＡ−４）、Ｔｎ、ＴＦ、ｓＴｎ、ポリシアル酸、Ｇｌｏｂｏ  Ｈ、ＳＳＥＡ−３、ＳＳＥＡ−４、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１、Ｎｅｕ５ＧｃＧＭ３および／またはこれらのｎ−ペンチルアミン官能化バリアントから選択される、化合物。
（項目２３）
項目１３から２２に記載の化合物の使用を含む、アレイにおける感度を向上する方法。
（項目２４）
がん、癌腫、新生物または過形成を有する疑いがある、疾患の診断、処置の監視または再発の監視を必要とする対象の、疾患の診断、処置の監視または再発の監視のための方法であって、
（ａ）がんを有する疑いがある対象から抗体を含有する試料を用意する工程、
（ｂ）前記試料を接触させて、前記試料中の抗体をＧ−Ａ−Ｚ部分の１つまたは複数に結合させる工程、
（ｃ）１つまたは複数の結合した抗体の量を検出する工程、および
（ｄ）前記結合した抗体の量に基づいて前記対象の病態を判定する工程であって、前記病態は、疾患を有しない対象のレベルと比較した場合の相対抗体結合レベルに基づいて示される、工程
を含む方法。
（項目２５）
複合体を検出するための方法であって、
（ａ）がん、癌腫、新生物または過形成を有する疑いがある対象から、抗体を含有する試料を用意する工程、
（ｂ）前記試料を接触させて、前記試料中の抗体を、１つまたは複数のＧ−Ａ−Ｚ部分に結合させる工程、
（ｃ）１つまたは複数の結合した抗体の量を検出する工程、および
（ｄ）疾患を有しない対象のレベルと比較した場合の相対抗体結合レベルを確認する工程を含む方法。
（項目２６）
前記試料が、血清、血液、血漿、細胞、細胞培地、唾液、尿、またはリンパ節液からなる、項目２４または２５に記載の方法。
（項目２７）
前記対象がヒトである、項目２４または２５に記載の方法。
（項目２８）
前記がんが、肉腫、皮膚がん、白血病、リンパ腫、脳がん、神経膠芽腫、肺がん、乳がん、口腔がん、頭頸部がん、上咽頭がん、食道がん、胃がん、肝臓がん、胆管がん、胆嚢がん、膀胱がん、膵臓がん、腸がん、大腸がん、腎臓がん、子宮頸がん、子宮内膜がん、卵巣がん、精巣がん、頬側がん、中咽頭がん、喉頭がんおよび前立腺がんからなる群から選択される、項目２４または２５に記載の方法。
（項目２９）
がん処置を必要とする対象のがん処置用の抗新生物剤の治療効果を判定するための方法であって、
（ａ）対象からの試料を用意する工程、
（ｂ）１つまたは複数の腫瘍関連抗原（ＴＡＣＡ）を含むアレイを前記試料と接触させる工程、
（ｃ）１つもしくは複数の腫瘍関連抗原（ＴＡＣＡ）の結合、または項目１３から２２のいずれか一項に記載の化合物に結合した抗体を検出する工程、および
（ｄ）グリカン検出のアッセイ値に基づいて、新生物に対する処置における抗新生物剤の治療効果を判定する工程
を含む方法。
（項目３０）
前記試料が、血清、血液、血漿、細胞、細胞培地、唾液、尿、リンパ節液、腫瘍生検または組織培養物からなる、項目２９に記載の方法。
（項目３１）
前記対象がヒトである、項目２９に記載の方法。
（項目３２）
前記抗新生物剤が、担体タンパク質とコンジュゲートした炭水化物抗原またはその免疫原性断片で構成されるワクチンを含む、項目２９に記載の方法。
（項目３３）
前記炭水化物抗原またはその免疫原性断片が、Ｇｌｏｂｏ  Ｈ、ステージ特異的胎児抗原３（ＳＳＥＡ−３）、ステージ特異的胎児抗原４（ＳＳＥＡ−４）、Ｔｎ、ＴＦ、ｓＴｎ、ポリシアル酸、Ｇｌｏｂｏ  Ｈ、ＳＳＥＡ−３、ＳＳＥＡ−４、Ｇｂ３、Ｇｂ４、Ｌｅｘ、Ｌｅｙ、Ｌｅａ、ｓＬｅｘ、ＳＬｅａ、ＧＤ１ａ、ＧＴ１ｂ、Ａ２Ｂ５、ＧＤ２、ＧＤ３、ＧＭ１、ＧＭ２、ＧＭ３、フコシル−ＧＭ１またはＮｅｕ５ＧｃＧＭ３を含む、項目３２に記載の方法。
（項目３４）
前記担体タンパク質が、ＫＬＨ（キーホールリンペットヘモシアニン）、ＤＴ−ＣＲＭ
１９７（ジフテリア毒素交差反応物質１９７）、ジフテリアトキソイドまたは破傷風トキソイドを含む、項目３２に記載の方法。
（項目３５）
前記ワクチンが、医薬組成物として提供される、項目３２に記載の方法。
（項目３６）
前記医薬組成物が、Ｇｌｏｂｏ  Ｈ−ＫＬＨおよび追加的なアジュバントを含む、項目３５に記載の方法。
（項目３７）
前記追加的なアジュバントが、サポニン、フロイントアジュバントまたはα−ガラクトシルセラミド（α−ＧａｌＣｅｒ）アジュバントから選択される、項目３６に記載の方法。
（項目３８）
前記医薬組成物が、ＯＢＩ−８２２／ＯＢＩ−８２１を含む、項目３５に記載の方法。
（項目３９）
前記抗新生物剤が、１つまたは複数の炭水化物抗原に結合可能である抗体またはその抗原結合部を含む、項目２９に記載の方法。
（項目４０）
前記がんが、肉腫、皮膚がん、白血病、リンパ腫、脳がん、神経膠芽腫、肺がん、乳がん、口腔がん、頭頸部がん、上咽頭がん、食道がん、胃がん、肝臓がん、胆管がん、胆嚢がん、膀胱がん、膵臓がん、腸がん、大腸がん、腎臓がん、子宮頸がん、子宮内膜がん、卵巣がん、精巣がん、頬側がん、中咽頭がん、喉頭がんおよび前立腺がんからなる群から選択される、項目２９に記載の方法。